(57)【要約】【課題】光ディスク再生装置において、ピニオンの回転によりラックが移動するときに可動側ラック板が固定側ラック板を叩くことにより発生する叩き音を緩和する。【解決手段】光ディスク再生装置は、光ピックアップユニット６を保持してピニオン６１の回転によって移動するラック７を備える。ラック７は、光ピックアップユニット６に固定された固定側ラック板５１と、固定側ラック板５１にスライド自在な可動側ラック板５２から成り、固定側ラック板５１の突設片８１〜８３が可動側ラック板５２のガイド溝９１〜９３に挿入されている。固定側ラック板５１には、樹脂バネから成る突出部（押し付け部材）９４が形成されている。突出部９４が固定側ラック板５１の支柱８５を押圧することにより、その反作用力によりガイド溝９１〜９３の内側面が突設片８１〜８３に押し付けられ、可動側ラック板５２と固定側ラック板５１のがたつきが抑えられる。【選択図】図４
2007265573.tif 000002
【特許請求の範囲】
【請求項１】
光ディスクに対して情報の記録／読取を行うための光を出射する光ピックアップユニットと、モータの駆動力によって回転されるピニオンと、前記光ピックアップユニットを保持すると共に前記ピニオンに噛合され、前記ピニオンの回転によって移動されるラックとを備え、
前記ラックは、ガイド部材に移動自在に支持されていると共に前記光ピックアップユニットに固定されている固定側ラック板と、前記ピニオンとの間のバックラッシュをなくすために前記固定側ラック板に対して前記固定側ラック板の移動方向と平行な方向にスライド自在に重ねて装着された可動側ラック板とから成るダブルラックである光ディスク再生装置において、
前記固定側ラック板は、前記ピックアップユニットのケースと一体的に樹脂により形成されており、
前記固定側ラック板には、該固定側ラック板の上面に突設された、前記可動側ラック板をスライド自在に装着するための突設片と、該固定側ラック板の上面に支柱を介して設けられた、前記可動側ラック板を離脱しないように係止するための係止片とが形成されており、
前記可動側ラック板には、前記突設片がスライド自在に挿入されるガイド溝と、該可動側ラック板の側面に突出して前記係止片にスライド自在に係止される突出部とが形成されており、
前記突出部は、前記ガイド溝の内側面を前記突設片に前記可動側ラック板のスライド方向と直交する左右方向に押し付ける押し付け部材を兼ねており、
前記押し付け部材は、前記可動側ラック板と一体的に樹脂により形成された両持ちの樹脂バネから成り、該樹脂バネが前記支柱を押圧することにより、その反作用力によって前記ガイド溝の内側面を前記突設片に押し付け、
前記ガイド溝の内側面が前記突設片に押し付けられることにより、前記可動側ラック板と固定側ラック板との左右方向のがたつきが抑えられ、前記ピニオンの回転により前記ラックが移動するときに前記可動側ラック板が前記固定側ラック板を叩くことが抑えられることを特徴とする光ディスク再生装置。
【請求項２】
光ディスクに対して情報の記録／読取を行うための光を出射する光ピックアップユニットと、モータの駆動力によって回転されるピニオンと、前記光ピックアップユニットを保持すると共に前記ピニオンに噛合され、前記ピニオンの回転によって移動されるラックとを備え、
前記ラックは、ガイド部材に移動自在に支持されていると共に前記光ピックアップユニットに固定されている固定側ラック板と、前記ピニオンとの間のバックラッシュをなくすために前記固定側ラック板に対して前記固定側ラック板の移動方向と平行な方向にスライド自在に重ねて装着された可動側ラック板とから成るダブルラックである光ディスク再生装置において、
前記可動側ラック板を前記固定側ラック板に前記可動側ラック板のスライド方向と直交する左右方向に押し付ける押し付け部材を備え、
前記可動側ラック板が前記固定側ラック板に押し付けられることにより、前記可動側ラック板と固定側ラック板との左右方向のがたつきが抑えられ、前記ピニオンの回転により前記ラックが移動するときに前記可動側ラック板が前記固定側ラック板を叩くことが抑えられることを特徴とする光ディスク再生装置。
【請求項３】
前記固定側ラック板には、該固定側ラック板の上面に支柱を介して設けられた、前記可動側ラック板を離脱しないように係止するための係止片が形成されており、
前記可動側ラック板には、該可動側ラック板の側面に突出して前記係止片にスライド自在に係止される突出部が形成されており、
前記突出部は、前記押し付け部材を兼ねており、
前記押し付け部材は、前記支柱を押圧することにより、その反作用力によって前記可動側ラック板を前記固定側ラック板に押し付けることを特徴とする請求項２に記載の光ディスク再生装置。
【発明の詳細な説明】
【技術分野】
【０００１】
本発明は、例えばＣＤやＤＶＤ等の光ディスクに対して情報の記録／再生を行う光ディスク再生装置に関するものである。
【背景技術】
【０００２】
従来から、光ディスク再生装置は、ディスク駆動ユニットにより光ディスクを回転させながら、光ピックアップユニットから出射した光を光ディスクに照射することにより、光ディスクに対して情報の記録／再生を行うようになっている。光ピックアップユニットは、発光素子、受光素子等をケース内に搭載した構成になっており、発光素子から発光した光をケースに形成された光出入口から出射すると共に、光出入口から入射した光を受光素子により受光するようになっている。また、光ピックアップユニットは、ピニオンの回転によって移動されるラックに保持されており、モータの駆動力によってピニオンが回転してラックが移動することにより、ラックと共に光ディスクの径方向に移動（シーク動作）するようになっている。
【０００３】
この種の光ディスク再生装置では、光ピックアップユニットの送り精度向上のために、ラックとして２枚のラック板を重ねた構造のダブルラックを採用して、ピニオンとラックとのバックラッシュを除去するようにしている。このようなラックとしては、図５（ａ）（ｂ）、図６（ａ）（ｂ）（ｃ）に示す構成のものが知られている。
【０００４】
図５（ａ）（ｂ）、図６（ａ）（ｂ）（ｃ）に示すラック１００は、固定側ラック板１０１と可動側ラック板１０２の２枚のラック板から成っている。固定側ラック板１０１は、光ピックアップユニット１０３のケース１０４と一体的に形成されており、ガイド部材であるガイド軸１０５及びガイドレール１０６により、固定側ラック板１０１の歯列方向に移動自在に支持されている。可動側ラック板１０２は、固定側ラック板１０１の移動方向にスライド自在に、固定側ラック板１０１上に重ねて装着されている。光ピックアップユニット１０３は、ケース１０４の上面に形成された光出入口１０７から光を出入射する。
【０００５】
固定側ラック板１０１には、その上面に突出する突設片１１１、１１２、１１３が固定側ラック板１０１の移動方向に並んで形成されており、一方、可動側ラック板１０２には、可動側ラック板１０２の歯列方向に沿うガイド溝１２１、１２２、１２３が形成されている。固定側ラック板１０１の突設片１１１、１１２、１１３は、可動側ラック板１０２のガイド溝１２１、１２２、１２３にスライド自在に挿入されており、これにより、可動側ラック板１０２が固定側ラック板１０１の移動方向にスライド自在に装着されている。
【０００６】
また、固定側ラック板１０１には、その上面に設けられた支柱１１４の側面に突出する係止片１１５が形成されており、一方、可動側ラック板１０２には、可動側ラック板１０２の側面に突出する突出部１２４が形成されている。固定側ラック板１０１の係止片１１５は、可動側ラック板１０２の突出部１２４の上方に位置して、突出部１２４をスライド自在に係止しており、これにより、可動側ラック板１０２が固定側ラック板１０１から離脱しないように保持されている。
【０００７】
また、可動側ラック板１０２には、その上面に突出する突設片１２５が形成されており、固定側ラック板１０１の突設片１１２と可動側ラック板１０２の突設片１２５との間には、スプリング１３０が設けられている。固定側ラック板１０１及び可動側ラック板１０２は、スプリング１３０を圧縮させた状態でピニオン１４０（図６（ａ）（ｂ）（ｃ）参照）に噛合される。
【０００８】
このような構成のラック１００は、スプリング１３０の力によって固定側ラック板１０１の歯と可動側ラック板１０２の歯がピニオン１４０の歯を挟み、これにより、ラック１００とピニオン１４０との間のバックラッシュを除去し、光ピックアップユニット１０３の送り精度を向上している。
【０００９】
一方、バネ部材によってラックをピニオンへ接近させる方向に付勢すると共にラックを光ピックアップユニットの移動方向に付勢することにより、１枚のラック板を用いてピニオンとラックとの間のバックラッシュを除去するようにした光ディスク再生装置が知られている（例えば特許文献１参照）。
【特許文献１】特開２００５−２２８４５６号公報
【発明の開示】
【発明が解決しようとする課題】
【００１０】
ところが、上述した従来の光ディスク再生装置においては、固定側ラック板１０１の突設片１１１、１１２、１１３を可動側ラック板１０２のガイド溝１２１、１２２、１２３にスライド自在に挿入しているため、突設片１１１、１１２、１１３とガイド溝１２１、１２２、１２３の内側面との間、及び支柱１１４と突出部１２４との間に隙間がある。このため、ピニオン１４０の回転によりラック１００が移動するときに、可動側ラック板１０２がピニオン１４０の駆動力によって左右方向（ラック１００の移動方向に直交する方向）に振られて、ガイド溝１２１、１２２、１２３の内側面が突設片１１１、１１２、１１３を叩き、又は突出部１２４が支柱１１４を叩き、その叩き音が発生する。この叩き音は、耳障りな騒音になる。なお、上述した特許文献１に開示の内容を適用したとしても、上記の課題を解決することはできない。
【００１１】
本発明は、上記課題を解決するためになされたものであり、ピニオンの回転によりラックが移動するときに可動側ラック板が固定側ラック板を叩くことにより発生する叩き音を緩和することができる光ディスク再生装置を提供することを目的とする。
【課題を解決するための手段】
【００１２】
上記目的を達成するために請求項１の発明は、光ディスクに対して情報の記録／読取を行うための光を出射する光ピックアップユニットと、モータの駆動力によって回転されるピニオンと、光ピックアップユニットを保持すると共にピニオンに噛合され、ピニオンの回転によって移動されるラックとを備え、ラックは、ガイド部材に移動自在に支持されていると共に光ピックアップユニットに固定されている固定側ラック板と、ピニオンとの間のバックラッシュをなくすために固定側ラック板に対して固定側ラック板の移動方向と平行な方向にスライド自在に重ねて装着された可動側ラック板とから成るダブルラックである光ディスク再生装置において、固定側ラック板は、ピックアップユニットのケースと一体的に樹脂により形成されており、固定側ラック板には、該固定側ラック板の上面に突設された、可動側ラック板をスライド自在に装着するための突設片と、該固定側ラック板の上面に支柱を介して設けられた、可動側ラック板を離脱しないように係止するための係止片とが形成されており、可動側ラック板には、突設片がスライド自在に挿入されるガイド溝と、該可動側ラック板の側面に突出して係止片にスライド自在に係止される突出部とが形成されており、突出部は、ガイド溝の内側面を突設片に可動側ラック板のスライド方向と直交する左右方向に押し付ける押し付け部材を兼ねており、押し付け部材は、可動側ラック板と一体的に樹脂により形成された両持ちの樹脂バネから成り、該樹脂バネが支柱を押圧することにより、その反作用力によってガイド溝の内側面を突設片に押し付け、ガイド溝の内側面が突設片に押し付けられることにより、可動側ラック板と固定側ラック板との左右方向のがたつきが抑えられ、ピニオンの回転によりラックが移動するときに可動側ラック板が固定側ラック板を叩くことが抑えられるものである。
【００１３】
請求項２の発明は、光ディスクに対して情報の記録／読取を行うための光を出射する光ピックアップユニットと、モータの駆動力によって回転されるピニオンと、光ピックアップユニットを保持すると共にピニオンに噛合され、ピニオンの回転によって移動されるラックとを備え、ラックは、ガイド部材に移動自在に支持されていると共に光ピックアップユニットに固定されている固定側ラック板と、ピニオンとの間のバックラッシュをなくすために固定側ラック板に対して固定側ラック板の移動方向と平行な方向にスライド自在に重ねて装着された可動側ラック板とから成るダブルラックである光ディスク再生装置において、可動側ラック板を固定側ラック板に可動側ラック板のスライド方向と直交する左右方向に押し付ける押し付け部材を備え、可動側ラック板が固定側ラック板に押し付けられることにより、可動側ラック板と固定側ラック板との左右方向のがたつきが抑えられ、ピニオンの回転によりラックが移動するときに可動側ラック板が固定側ラック板を叩くことが抑えられるものである。
【００１４】
請求項３の発明は、請求項２に記載の光ディスク再生装置において、固定側ラック板には、該固定側ラック板の上面に支柱を介して設けられた、可動側ラック板を離脱しないように係止するための係止片が形成されており、可動側ラック板には、該可動側ラック板の側面に突出して係止片にスライド自在に係止される突出部が形成されており、突出部は、押し付け部材を兼ねており、押し付け部材は、支柱を押圧することにより、その反作用力によって可動側ラック板を固定側ラック板に押し付けるものである。
【発明の効果】
【００１５】
請求項１の発明によれば、押し付け部材により可動側ラック板のガイド溝の内側面が固定側ラック板の突設片に押し付けられて、可動側ラック板と固定側ラック板との左右方向のがたつきが抑えられるため、ピニオンの回転によりラックが移動するときに可動側ラック板が固定側ラック板を叩くことが抑えられ、叩き音を緩和することができ、叩き音による騒音を抑えることができる。しかも、可動側ラック板を固定側ラック板から離脱しないようにするための突出部が押し付け部材を兼ねており、可動側ラック板を固定側ラック板から離脱しないようにする構成を利用して、可動側ラック板と固定側ラック板との左右方向のがたつきを抑えているため、ラックの構成が複雑化することがなく、ラックの構成を簡素にできると共にラックを小型にすることができる。また、押し付け部材は、可動側ラック板と一体的に樹脂により形成された樹脂バネから成っているため、可動側ラック板と固定側ラック板とのがたつきを抑える構成を簡素で安価に実現することができる。
【００１６】
請求項２の発明によれば、押し付け部材により可動側ラック板が固定側ラック板に押し付けられて、可動側ラック板と固定側ラック板との左右方向のがたつきが抑えられるため、ピニオンの回転によりラックが移動するときに可動側ラック板が固定側ラック板を叩くことが抑えられ、叩き音を緩和することができ、叩き音による騒音を抑えることができる。
【００１７】
請求項３の発明によれば、可動側ラック板を固定側ラック板から離脱しないようにするための突出部が押し付け部材を兼ねており、可動側ラック板を固定側ラック板から離脱しないようにする構成を利用して、可動側ラック板と固定側ラック板との左右方向のがたつきを抑えているため、ラックの構成が複雑化することがなく、ラックの構成を簡素にできると共にラックを小型にすることができる。
【発明を実施するための最良の形態】
【００１８】
以下、本発明を具体化した実施形態による光ディスク再生装置について図面を参照して説明する。図１、図２（ａ）（ｂ）は、光ディスク再生装置の構成を示す。光ディスク再生装置１は、例えばＣＤやＤＶＤ等の光ディスク１ａに対して情報の記録／再生を行う装置である。
【００１９】
光ディスク再生装置１は、光ディスク１ａを搬送するディスクトレイ２と、光ディスク１ａを回転させるディスク駆動ユニット３と、光ディスク１ａをディスク駆動ユニット３に固定するためのクランパ４と、光ディスク１ａに対して情報の記録／読取を行うための光を出射する光ピックアップユニット６とを備える。また、光ディスク再生装置１は、光ピックアップユニット６を保持するラック７と、ラック７を移動自在に支持するガイド部材であるガイド軸８ａ及びガイドレール８ｂと、ラック７を移動させるためのギア９と、これらを支持するシャーシ１０等を備える。
【００２０】
ディスクトレイ２は、光ディスク１ａが載置されるディスク載置部２１を有しており、ディスク載置部２１には、開口２２が形成されている。ディスクトレイ２は、シャーシ１０にスライド自在に支持されており、モータ及びギア等により構成されるトレイ駆動手段（不図示）によってスライド動作されて、シャーシ１０内に収納／引出しされる。ディスクトレイ２がシャーシ１０内に収納されることにより、ディスク載置部２１に載置された光ディスク１ａがディスク駆動ユニット３の上方へ搬送される。
【００２１】
ディスク駆動ユニット３は、光ディスク１ａを回転させるためのターンテーブル３１及びスピンドルモータ３２等を搭載しており、シャーシ１０に昇降自在に支持されている。ターンテーブル３１は、磁性体から成り、スピンドルモータ３２の回転軸に固定的に連結されており、スピンドルモータ３２により回転駆動される。ディスク駆動ユニット３は、モータ及びギア等により構成される昇降手段（不図示）によって、ディスクトレイ２の開口２２を通って昇降される。
【００２２】
クランパ４は、クランプホルダ１１により、ターンテーブル３１の上方に回転自在かつ昇降自在に支持されている。クランパ４には、磁力によりクランパ４をターンテーブル３１に引き付けるための磁石４１が取付けられている。クランプホルダ１１は、シャーシ１０に架設されており、シャーシ１０と一体的に形成されている。
【００２３】
ディスク駆動ユニット３がディスクトレイ２の開口２２を通って上昇すると、ディスクトレイ２上の光ディスク１ａがターンテーブル３１により持ち上げられると共に、クランパ４が光ディスク１ａにより持ち上げられる。このとき、クランパ４の磁石４１とターンテーブル３１との間に働く磁力により、クランパ４１がターンテーブル３１に引き付けられ、光ディスク１ａがターンテーブル３１及びクランパ４と共に回転可能なようにターンテーブル３１上に固定されてチャッキングされる。
【００２４】
ディスク駆動ユニット３は、このように光ディスク１ａがチャッキングされた状態でスピンドルモータ３２を回転させることにより、光ディスク１ａをターンテーブル３１及びクランパ４と共に回転させる。
【００２５】
光ピックアップユニット６は、ケース４１内に発光素子及び受光素子（不図示）等を搭載しており、発光素子から発光した光をケース４１に形成された光出入口４２から上方に向けてディスクトレイ２の開口２２を通り抜けるように出射し、また、光出入口４２から入射した光を受光素子により受光する。光ピックアップユニット６は、ラック７に保持されている。
【００２６】
ラック７は、固定側ラック板５１と可動側ラック板５２の２枚のラック板を重ねた構造のダブルラックであり、ガイド部材であるガイド軸８ａ及びガイドレール８ｂに移動自在に支持されており、光ピックアップユニット６を保持している。ガイド軸８ａ及びガイドレール８ｂは、シャーシ１０に固定されている。光ピックアップユニット６は、ラック７がガイド軸８ａ及びガイドレール８ｂに案内されて移動することにより、光ディスク１ａの径方向に移動（シーク動作）する。ラック７の構成の詳細については後述する。
【００２７】
ギア９は、上段のピニオン６１、中段の小径ギア６２、及び下段の大径ギア６３を一体的に形成した３段ギアであり、シャーシ１０に回転自在に支持されている。上段のピニオン６１には、ラック７の固定側ラック板５１及び可動側ラック板５２が噛合され、下段の大径ギア６３には、モータの駆動力により回転される駆動ギア（不図示）が噛合される。すなわち、ギア９は、モータの駆動力により回転し、ラック７は、モータの駆動力によりギア９（ピニオン６１）が回転することによって移動する。なお、中段の小径ギア６２には、上記ディスクトレイ２を収納／引出しするトレイ駆動手段及びディスク駆動ユニット３を昇降させる昇降手段に駆動力を伝達するためのギア（不図示）が噛合される。
【００２８】
このような構成の光ディスク再生装置１は、ディスク駆動ユニット３により光ディスク１ａを回転させながら光ピックアップユニット６から光を出射することにより光ディスク１ａに対して情報の記録／再生を行い、このとき、モータの駆動力によりギア９を回転させてラック７を移動させることにより、光ピックアップユニット６をシーク動作させる。
【００２９】
図３（ａ）（ｂ）、図４（ａ）（ｂ）（ｃ）は、上記ラック７の構成を示す。ラック７は、上述のように、固定側ラック板５１と可動側ラック板５２から成っている。固定側ラック板５１は、ピックアップユニット６のケース４１と一体的に樹脂により形成されており（従って光ピックアップユニット６に一体的に固定されており）、ガイド軸８ａ及びガイドレール８ｂにより、固定側ラック板５１の歯列方向に移動自在に支持されている。可動側ラック板５２は、スプリング５３を介して、固定側ラック板５１の移動方向（すなわちガイド軸８ａ及びガイドレール８ｂと平行な方向）にスライド自在に、固定側ラック板５１上に重ねて装着されている。
【００３０】
固定側ラック板５１には、可動側ラック板５２をスライド自在に装着するための突設片８１、８２、８３と、可動側ラック板５２を離脱しないように係止するための係止片８４とが形成されている。突設片８２は、スプリング５３を保持する役割を兼ねている。突設片８１、８２、８３は、固定側ラック板５１の上面に突設されており、固定側ラック板５１の移動方向に並んでいる。係止片８４は、固定側ラック板５１の上面に突出する支柱８５を介して設けられており、支柱８５の側面に突出している。
【００３１】
可動側ラック板５２には、固定側ラック板５１にスライド自在に装着するためのガイド溝９１、９２、９３と、固定側ラック板５１から離脱しないようにするための突出部９４と、スプリング５３を保持するための突設片９５とが形成されている。ガイド溝９１、９２、９３は、可動側ラック板５２の歯列方向に沿って形成されており、各々開口している。突出部９４は、可動側ラック板５２の側面に突出している。突設片９５は、可動側ラック板５２の上面に突設している。
【００３２】
固定側ラック板５１の突設片８１、８２、８３は、可動側ラック板５２のガイド溝９１、９２、９３にスライド自在に挿入されており、これにより、可動側ラック板５２が固定側ラック板５１の移動方向にスライド自在に装着されている。また、固定側ラック板５１の係止片８４は、可動側ラック板５２の突出部９４の上方に位置して、突出部９４をスライド自在に係止しており、これにより、可動側ラック板５２が固定側ラック板５１から離脱しないように保持されている。
【００３３】
また、スプリング５３は、固定側ラック板５１の突設片８２と可動側ラック板５２の突設片９５との間に圧縮状態で設けられている。従って、ラック７においては、スプリング５３の弾性力によって固定側ラック板５１の歯と可動側ラック板５２の歯がピニオン６１の歯を挟み、これにより、ラック７とピニオン６１との間のバックラッシュを除去し、光ピックアップユニット６の送り精度を向上している。
【００３４】
また、上記可動側ラック板５２の突出部９４は、樹脂バネから成り、固定側ラック板５１の支柱８５の側面を弾性的に押圧しており、その反作用力によってガイド溝９１、９２、９３の内側面を突設片８１、８２、８３に押し付けている。つまり、上記可動側ラック板５２の突出部９４は、可動側ラック板５２を固定側ラック板５１に可動側ラック板５２のスライド方向（ラック７の移動方向）と直交する左右方向に押し付ける押し付け部材を兼ねている。
【００３５】
突出部（押し付け部材）９４は、支柱８５を押圧するための押圧部９４ａが撓み変形可能な撓み変形部９４ｂの中間位置に形成され、撓み変形部９４ｂの両端が可動側ラック板５２に固定的に繋がった両持ちの樹脂バネになっている。撓み変形部９４ｂは、可動側ラック板５２のスライド方向と平行に伸びており、可動側ラック板５２のスライド方向と直交する左右方向に撓み変形可能になっている。突出部９４は、可動側ラック板５２と一体的に樹脂により形成されている。
【００３６】
突出部９４の押圧部９４ａは、撓み変形部９４ｂが撓んだ状態で固定側ラック板５１の支柱８５に当接しており、撓み変形部９４ｂの弾性力によって支柱８５を押圧している。従って、ラック７においては、突出部９４が支柱８５を押圧する反作用力によって可動側ラック板５２が支柱８５から離反する方向（ピニオン６１の位置する側）に付勢される。これにより、可動側ラック板５２のガイド溝９１、９２、９３の内側面が固定側ラック板５１の突設片８１、８２、８３に押し付けられて、可動側ラック板５２と固定側ラック板５１との左右方向のがたつきが抑えられている。
【００３７】
このように、上記構成の光ディスク再生装置１によれば、突出部（押し付け部材）９４により可動側ラック板５２のガイド溝９１、９２、９３の内側面が固定側ラック板５１の突設片８１、８２、８３に押し付けられて、可動側ラック板５２と固定側ラック板５１との左右方向のがたつきが抑えられるため、ピニオン６１の回転によりラック７が移動するときに可動側ラック板５２が固定側ラック板５１を叩くことが抑えられ、叩き音を緩和することができ、叩き音による騒音を抑えることができる。
【００３８】
しかも、可動側ラック板５２を固定側ラック板５１から離脱しないようにするための突出部９４が押し付け部材を兼ねており、可動側ラック板５２を固定側ラック板５１から離脱しないようにする構成を利用して、可動側ラック板５２と固定側ラック板５１との左右方向のがたつきを抑えているため、ラック７の構成が複雑化することがなく、ラック７の構成を簡素にできると共にラック７を小型にすることができる。また、突出部９４は、可動側ラック板５２と一体的に樹脂により形成された樹脂バネから成っているため、可動側ラック板５２と固定側ラック板５１とのがたつきを抑える構成を簡素で安価に実現することができる。
【００３９】
なお、本発明は、上記実施形態の構成に限られず、種々の変形が可能である。例えば、押し付け部材は、可動側ラック板５２を固定側ラック板５１から離脱しないようにするための突出部９４と兼ねている構成に限られず、突出部９４と別に設けられていてもよく、固定側ラック板５１に設けられていてもよい。また、押し付け部材は、樹脂バネに限られず、可動側ラック板５２を固定側ラック板５１に左右方向に押し付けるものであれば、どのような構造や材質のものであってもよい。さらにまた、固定側ラック板５１は、ピックアップユニット６のケース４１と別体に構成されていてもよい。
【図面の簡単な説明】
【００４０】
【図１】本発明の一実施形態に係る光ディスク再生装置の概略構成を示す斜視図。
【図２】（ａ）は同光ディスク再生装置の断面図、（ｂ）は同平面図。
【図３】（ａ）は同光ディスク再生装置のラックの構成を示す斜視図、（ｂ）は同分解斜視図。
【図４】（ａ）は同ラックの構成を示す平面図、（ｂ）は同ラックの要部拡大平面図、（ｃ）は同ラックの要部拡大側面図。
【図５】（ａ）は従来のラックの構成を示す斜視図、（ｂ）は同分解斜視図。
【図６】（ａ）は従来のラックの構成を示す平面図、（ｂ）は同ラックの要部拡大平面図、（ｃ）は同ラックの要部拡大側面図。
【符号の説明】
【００４１】
１    光ディスク再生装置
１ａ    光ディスク
２    ディスクトレイ
３    ディスク駆動ユニット
４    クランパ
６    光ピックアップユニット
７    ラック
８ａ    ガイド軸
８ｂ    ガイドレール
９    ギア
１０    シャーシ
３１    ターンテーブル
３２    スピンドルモータ
４１    ケース
４２    光出入口
５１    固定側ラック板
５２    可動側ラック板
５３    スプリング
６１    ピニオン
６２    小径ギア
６３    大径ギア
８１〜８３    突設片
８４    係止片
８５    支柱
９１〜９３    ガイド溝
９４    突出部（押し付け部材）
９４ａ    押圧部
９４ｂ    撓み変形部
９５    突設片
【図１】
2007265573.tif 000003
【図２】
2007265573.tif 000004
【図３】
2007265573.tif 000005
【図４】
2007265573.tif 000006
【図５】
2007265573.tif 000007
【図６】
2007265573.tif 000008